(57)【要約】【課題】美的外観の低下を防ぐことができる望遠鏡を提供すること。【解決手段】双眼鏡の鏡筒３の外壁面に穴３３を設ける。レンズ保護用のキャップ５に穴３３に着脱可能な連結部５２を設ける。【選択図】図１
2007212647.tif 000002
【特許請求の範囲】
【請求項１】
鏡筒の端部に着脱可能なキャップが装着される望遠鏡において、
前記鏡筒の外壁面に穴が設けられ、
前記キャップは、これから延設された延設部と、この延設部の先端に設けられ、前記穴に着脱可能に装着される連結部材とを有する
ことを特徴とする望遠鏡。
【請求項２】
前記連結部材が前記穴の内壁面を押圧することにより前記穴に装着されることを特徴とする請求項１記載の望遠鏡。
【請求項３】
前記穴は、小径部とこの小径部よりも底面側に位置する大径部とを有し、
前記連結部材は、前記小径部に挿入される複数の脚部と、この複数の脚部のうちの少なくとも１つの脚部の一端部に設けられ、前記大径部に係合される爪部と、前記複数の脚部を前記穴の径方向に閉脚可能に支持する弾性支持部とを有する
ことを特徴とする請求項１記載の望遠鏡。
【請求項４】
前記穴は丸穴であることを特徴とする請求項３記載の望遠鏡。
【請求項５】
前記弾性支持部は、前記大径部に対する前記爪部の係合状態を維持するロック部を有することを特徴とする請求項３記載の望遠鏡。
【請求項６】
前記ロック部は、前記複数の脚部の内側に配置され、脚部挿脱方向へスライド可能であることを特徴とする請求項４記載の望遠鏡。
【請求項７】
望遠鏡の鏡筒の端部に着脱可能なキャップ本体から延設された延設部と、前記鏡筒の外壁面に設けられ、且つ小径部とこの小径部よりも底面側に位置する大径部とを有する穴に、着脱可能に装着される連結部材とを有し、
前記連結部材は、前記小径部に挿入される複数の脚部と、この複数の脚部のうちの少なくとも１つの脚部の一端部に設けられ、前記大径部に係合される爪部と、前記複数の脚部を前記穴の径方向に閉脚可能に支持する弾性支持部とを有することを特徴とするレンズキャップ。
【請求項８】
前記弾性支持部は、前記大径部に対する前記爪部の係合状態を維持するロック部を有することを特徴とする請求項７記載のレンズキャップ。
【発明の詳細な説明】
【技術分野】
【０００１】
この発明はレンズキャップを備えている望遠鏡及びレンズキャップに関する。
【背景技術】
【０００２】
従来、１対の鏡筒と１対のレンズキャップとを備える双眼鏡が知られている（下記特許文献１参照）。
【０００３】
１対の鏡筒は本体（ブリッジ）によって互いに連結されている。
【０００４】
レンズキャップは円形のキャップ本体部と１対の伸縮可能な弾性部とを有している。
【０００５】
鏡筒とレンズキャップとは連結手段によって連結されている。連結手段は鏡筒の表面から突出した状態に設けられた１対の回転軸とレンズキャップの弾性部に設けられた穴とで構成されている。
【０００６】
１対の回転軸は双眼鏡の使用時の状態で鏡筒の先端部の外周面の上下に位置している。回転軸の先端部には張り出し部が形成され、回転軸はＬ字形になっている。
【０００７】
１対の弾性部の穴に回転軸を挿入することによって鏡筒とレンズキャップとが連結される。
【特許文献１】特開２０００−１４７３８８号公報（段落０００９〜００１３、図１参照）
【発明の開示】
【発明が解決しようとする課題】
【０００８】
従来の望遠鏡、例えば双眼鏡には、上述のように鏡筒の外周面に回転軸が設けられているので、この回転軸からキャップの連結手段を外したときに、回転軸が目立ち、対物レンズ部から接眼レンズ部へ形成される曲面の滑らかさが失われ、双眼鏡全体の美的外観が損なわれていたという問題があった。
【０００９】
この発明はこのような事情に鑑みてなされたもので、その課題は美的外観の低下を防ぐことができる望遠鏡を提供することである。
【課題を解決するための手段】
【００１０】
前述の課題を解決するため請求項１の発明の望遠鏡は、鏡筒の端部に着脱可能なキャップが装着される望遠鏡において、前記鏡筒の外壁面に穴が設けられ、前記キャップは、これから延設された延設部と、この延設部の先端に設けられ、前記穴に着脱可能に装着される連結部材とを有することを特徴とする。
【００１１】
請求項２の発明は、請求項１記載の望遠鏡において、前記連結部材が前記穴の内壁面を押圧することにより前記穴に装着されることを特徴とする。
【００１２】
請求項３の発明は、請求項１記載の望遠鏡において、前記穴は、小径部とこの小径部よりも底面側に位置する大径部とを有し、前記連結部材は、前記小径部に挿入される複数の脚部と、この複数の脚部のうちの少なくとも１つの脚部の一端部に設けられ、前記大径部に係合される爪部と、前記複数の脚部を前記穴の径方向に閉脚可能に支持する弾性支持部とを有することを特徴とする。
【００１３】
請求項４の発明は、請求項３記載の望遠鏡において、前記穴は丸穴であることを特徴とする。
【００１４】
請求項５の発明は、請求項３記載の望遠鏡において、前記弾性支持部は、前記大径部に対する前記爪部の係合状態を維持するロック部を有することを特徴とする。
【００１５】
請求項６の発明は、請求項４記載の望遠鏡において、前記ロック部は、前記複数の脚部の内側に配置され、脚部挿脱方向へスライド可能であることを特徴とする。
【００１６】
請求項７の発明のレンズキャップは、望遠鏡の鏡筒の端部に着脱可能なキャップ本体から延設された延設部と、前記鏡筒の外壁面に設けられ、且つ小径部とこの小径部よりも底面側に位置する大径部とを有する穴に、着脱可能に装着される連結部材とを有し、前記連結部材は、前記小径部に挿入される複数の脚部と、この複数の脚部のうちの少なくとも１つの脚部の一端部に設けられ、前記大径部に係合される爪部と、前記複数の脚部を前記穴の径方向に閉脚可能に支持する弾性支持部とを有することを特徴とする。
【００１７】
請求項８の発明は、請求項７記載のレンズキャップにおいて、前記弾性支持部は、前記大径部に対する前記爪部の係合状態を維持するロック部を有することを特徴とする。
【発明の効果】
【００１８】
この発明によれば、レンズキャップを望遠鏡から取り外した状態において美的外観の低下を防ぐことができる。
【発明を実施するための最良の形態】
【００１９】
以下、この発明の実施の形態を図面に基づいて説明する。
【００２０】
図１はこの発明の第１実施形態に係る双眼鏡の鏡筒の一部及びキャップの断面図、図２は図１に示す鏡筒の平面図、図３は図２のIII−III線に沿う断面図、図４は図１に示すキャップの平面図、図５は図４のＶ−Ｖ線に沿う断面図、図６は図４に示すキャップの連結部の平面図、図７は図４に示すキャップの連結部の底面図である。
【００２１】
この双眼鏡（望遠鏡）は、図１に示すように、１対の鏡筒３（一方の鏡筒３だけを図示する）と１対のキャップ５（一方のキャップ５だけを図示する）とを備える。
【００２２】
図２、３に示すように、鏡筒３は対物部３ａと接眼部（図示せず）とを有する。鏡筒とは光学部品を収容する筐体である。鏡筒３は鏡筒本体３１とカバー３２とで構成されている。鏡筒本体３１の入射側端部の内周面には雌ねじ３１ａが形成されている。鏡筒本体３１の材質としては例えばポリカーボネイトが挙げられる。カバー３２は鏡筒本体３１を覆っている。カバー３２の材質としては例えばエラストマが挙げられる。
【００２３】
鏡筒３の外壁面には穴３３が形成されている。穴３３は丸穴であり、小径部３３ａと大径部３３ｂとで構成されている。小径部３３ａは穴３３の開口側に位置し、大径部３３ｂは穴３３の底面側（鏡筒３の内部に向かう側）に位置する。小径部３３ａと大径部３３ｂとの間には段差面３３ｃが形成される。
【００２４】
鏡筒３の入射側端部には対物レンズ７が収容されている。対物レンズ７は雌ねじ３１ａに捩じ込まれた押さえ環９によって鏡筒３に固定されている。
【００２５】
図４〜７に示すように、キャップ（レンズキャップ）５はキャップ本体５１とベルト状部（延設部）５９と連結部（連結部材）５２とを有する。キャップ５の材質としては例えば合成ゴムが挙げられる。
【００２６】
キャップ本体５１は皿状部５１ａと鍔部５１ｂとを有する。皿状部５１ａは鏡筒３の入射側端部に挿入される。皿状部５１ａの開口縁部には、円弧状で、断面形状が半円径の引掛り部５１ｃが周方向へ等間隔に形成されている（図５参照）。鍔部５１ｂは皿状部５１ａの底面部から半径方向外側ヘ張り出している。鍔部５１ｂは皿状部５１ａを鏡筒３の入射側端部に挿入したときに、鏡筒３の入射側端面に突き当たる。鍔部５１ｂには２つのタブ５１ｄが形成されている（図４参照）。
【００２７】
連結部５２はリング状部（弾性支持部）５３と１対の脚部５４，５４と１対の爪部５５，５５とを有する。
【００２８】
リング状部５３はほぼ楕円形である。
【００２９】
脚部５４はほぼ半円柱状であり、段差面５４ａを有する（図６参照）。
【００３０】
１対の脚部５４，５４のうちの一方の脚部５４は結合片５６によってリング状部５３に結合されている。結合片５６の平面形状はほぼ台形である。結合片５６は窓孔５６ａを有する。結合片５６の自由端にはタブ５８が結合されている。結合片５６の上面とタブ５８の上面とリング状部５３の上面とは面一になっている。
【００３１】
１対の脚部５４，５４のうちの他方の脚部５４は結合片５７によってリング状部５３に結合されている。結合片５７の平面形状はほぼ台形である。結合片５７は窓孔５７ａを有する。結合片５７と結合片５６とはリング状部５３の中心軸方向にずれた位置関係にある。両方の脚部５４の外周面に接する１つの仮想円の直径は小径部３３ａの内径よりも僅かに短い。
【００３２】
１対の脚部５４，５４は所定間隔を介してリング状部５３に弾性支持されている。
【００３３】
爪部５５，５５はそれぞれ脚部５４，５４の下端面に結合されている。爪部５５，５５はほぼ半円形である。両方の爪部５５の外周面に接する一つの仮想円の直径は、小径部３３ａの内径よりも長く、大径部３３ｂの内径よりも僅かに短い。
【００３４】
キャップ本体５１にベルト状部５９が延設され、ベルト状部５９の先端に連結部５２が設けられている。
【００３５】
キャップ５の連結部５２を鏡筒３に連結するには、まず、１対の爪部５５，５５の間隔が縮まるように、リング状部５３を指（図示せず）で摘んで潰す。
【００３６】
この状態で、爪部５５，５５及び脚部５４，５４を鏡筒３の穴３３に挿入する。
【００３７】
爪部５５，５５及び脚部５４，５４を鏡筒３の穴３３に挿入したら、指をリング状部５３から離す。
【００３８】
指をリング状部５３から離すと、リング状部５３は自己の弾性力によって元の形状に戻る。このとき、爪部５５，５５は段差面３３ｃに係合し、穴３３から抜けなくなる。穴３３が丸穴であるので、連結部５２は脚部５４，５４を回転中心軸にして回転させることができる。
【００３９】
キャップ本体５１を鏡筒３に嵌めるには、キャップ本体５１の皿状部５１ａを鏡筒３の入射側端部内に挿入すればよい。皿状部５１ａを鏡筒３に所定量挿入すると、キャップ本体５１の鍔部５１ｂが鏡筒３の入射側端部に突き当たるので、皿状部５１ａはそれ以上挿入されなくなる。皿状部５１ａが鏡筒３に挿入されると、引掛り部５１ｃが鏡筒３の内周面に引っ掛かるので、キャップ本体５１は鏡筒３から容易に外れなくなる。
【００４０】
キャップ本体５１を鏡筒３から外すには、キャップ本体５１のタブ５１ｄを摘んでそのままキャップ本体５１を鏡筒３から引き離せばよい。
【００４１】
キャップ５の連結部５２を鏡筒３から外すには、１対の爪部５５，５５の間隔が縮まるように、リング状部５３を指で摘んで潰し、連結部５２を持ち上げる。
【００４２】
第１実施形態によれば、連結手段として鏡筒３に穴３３を設けただけであるので、美的外観の低下を防ぐことができる。
【００４３】
また、穴３３が丸穴であるので、連結部５２は脚部５４，５４を回転中心軸にして回転することができ、キャップ本体５１やベルト状部５９に外力が作用しても、連結部５２は回転するだけであり、この外力によって連結部５２が鏡筒３から外れる虞は殆ど無い。
【００４４】
また、キャップ本体５１にはタブ５１ｄが設けられているので、キャップ本体５１を鏡筒３から簡単に外すことができる。
【００４５】
図８はこの発明の第２実施形態に係る双眼鏡のキャップの平面図、図９は図８のIＸ−IＸ線に沿う断面図、図１０は図８に示すキャップの連結部の底面図、図１１は図８に示すキャップの連結部の側面図である。
【００４６】
第１実施形態と共通する部分については同一符号を付してその説明を省略する。以下、主な相違部分についてだけ説明する。
【００４７】
図８〜１１に示すように、キャップ２０５の連結部２５２の構造だけが第１実施形態と異なる。
【００４８】
結合片２５６，２５７の上面はリング状部５３の上面と面一になっている。結合片２５６と結合片２５７は同形状であり、いずれもタブ５８を有していない。
【００４９】
連結部２５２はロック部２６１を備えている。ロック部２６１はロック本体２６１ａと摘み２６１ｂとを有する。ロック本体２６１ａは１対の脚部５４，５４の間に挿抜可能である。摘み２６１ｂの断面形状はロック本体２６１ａの断面形状よりも一回り大きいので、摘み２６１ｂは１対の脚部５４，５４の間に入れない。
【００５０】
ロック部２６１はリング状部５３に架け渡されたブリッジ部２６２を介してリング状部５３に結合されている。ブリッジ部２６２は弾性を有する。ブリッジ部２６２がリング状部５３外にあるとき（リング状部５３に包囲されていないとき）は、ブリッジ部２６２の弾性力はブリッジ部２６２がリング状部５３内へ入らないように作用する。しかし、ブリッジ部２６２をその弾性力に抗してリング状部５３内に押し込むと、ブリッジ部２６２は反転し、ブリッジ部２６２の弾性力はブリッジ部２６２がリング状部５３内から外へ出ないように作用する。
【００５１】
第２実施形態では、連結部２５２と鏡筒３との連結状態をロックすることが可能である。
【００５２】
連結部２５２と鏡筒３との連結状態をロックするには、図１１に示す状態（脚部５４，５４及び爪部５５，５５は穴３３に挿入されているものとする）からロック部２６１をブリッジ部２６２の弾性力に抗して１対の脚部５４，５４の間に押し込めばよい。
【００５３】
このとき、摘み２６１ｂの断面形状はロック本体２６１ａの断面形状よりも一回り大きいので、摘み２６１ｂは１対の脚部５４，５４の間に入ることがない。このため、ロックを解除するときに、摘み２６１ｂを確実に摘むことができる。
【００５４】
一旦連結状態がロックされると、ブリッジ部２６２の弾性力はロック部２６１を穴３３の底の方へ押圧するように作用ことで、脚部５４，５５が穴３３の内壁面に押圧されるので、ロックが不用意に解除されにくい。
【００５５】
ロックを解除するには、摘み２６１ｂを摘んで、ロック部２６１を一対の脚部５４，５４の間から引き抜けばよい。これにより、穴３３の内壁面に対する脚部５４，５５の押圧が解除される。
【００５６】
以上のように、第２実施形態によれば、第１実施形態と同様の効果を得ることができるとともに、連結部２５２と鏡筒３との連結状態をロックすることができる。
【００５７】
なお、第１、第２実施形態はいずれも双眼鏡であるが、この発明の適用対象としては双眼鏡に限られず、単眼の望遠鏡に適用することもできる。
【００５８】
また、第１、第２実施形態の双眼鏡のキャップ５，２０５は対物部３ａのキャップとして使用されているが、接眼部のキャップとしても使用することができる。
【００５９】
なお、第１実施形態では、穴３３は丸穴であるが、穴３３は丸穴に限られず、矩形の穴でもよい。
【００６０】
また、第１実施形態では、穴３３は小径部３３ａと大径部３３ｂとを有するが、穴３３の代わりに、内径が均一の穴でもよいし、小径部、中径部及び大径部を有する穴でもよい。
【００６１】
なお、第１、第２実施形態では、脚部５４は２つであるが、脚部５４は２つ以上有ればよい。
【００６２】
また、第１、第２実施形態では、爪部５５は各脚部５４に設けられているが、必ずしも爪部５５を各脚部５４に設ける必要は無く、２つ以上の脚部の中の少なくとも１つの脚部に爪部が設けられればよい。
【００６３】
なお、第１、第２実施形態では、爪部５５，５５によって連結部（連結部材）５２，２５２が鏡筒３から容易に離脱しないように構成されているが、連結部材の構成はこれに限られない。例えば、連結部材を弾性部材でコルク栓状に形成し、この連結部材を鏡筒の外壁面に形成した穴に圧入するようにしてもよい。勿論、この場合の穴は内径が均一な単純な穴でよい。
【００６４】
また、第２実施形態では、ロック部２６１を脚部５４，５４に係合させて連結部２５２と鏡筒３との連結状態をロックするように構成したが、ロック機構はこれに限られず、例えば、ロック部をリング状部に係合させて、リング状部の変形を阻止して脚部５４，５４の動きを止めるようにしてもよい。
【図面の簡単な説明】
【００６５】
【図１】図１はこの発明の第１実施形態に係る双眼鏡の鏡筒の一部及びキャップの断面図である。
【図２】図２は図１に示す鏡筒の平面図である。
【図３】図３は図２のIII−III線に沿う断面図である。
【図４】図４は図１に示すキャップの平面図である。
【図５】図５は図４のＶ−Ｖ線に沿う断面図である。
【図６】図６は図４に示すキャップの連結部の平面図である。
【図７】図７は図４に示すキャップの連結部の底面図である。
【図８】図８はこの発明の第２実施形態に係る双眼鏡のキャップの平面図である。
【図９】図９は図８のIＸ−IＸ線に沿う断面図である。
【図１０】図１０は図８に示すキャップの連結部の底面図である。
【図１１】図１１は図８に示すキャップの連結部の側面図である。
【符号の説明】
【００６６】
３：鏡筒、３３：穴、３３ａ：小径部、３３ｂ：大径部、５，２０５：キャップ、５１：キャップ本体、５２，２５２：連結部（連結部材）、５４：脚部、５５：爪部、５９：ベルト状部（延設部）、２６１：ロック部。
【図１】
2007212647.tif 000003
【図２】
2007212647.tif 000004
【図３】
2007212647.tif 000005
【図４】
2007212647.tif 000006
【図５】
2007212647.tif 000007
【図６】
2007212647.tif 000008
【図７】
2007212647.tif 000009
【図８】
2007212647.tif 000010
【図９】
2007212647.tif 000011
【図１０】
2007212647.tif 000012
【図１１】
2007212647.tif 000013